(57)【要約】【課題】  ブラッシング効果を高めるとともに、髪の癖付けを容易に行えるヘアブラシを提供することにある。【解決手段】  このヘアブラシ４は、ブラシ台３と、多数のブラシピン１とを備えている。各ブラシピン１は、ブラシ台３の表面に立てて設けられるとともに、軸方向に滑らかに連続する凹凸を表面に有する。【選択図】      図１
2006204349.tif 000002
【特許請求の範囲】
【請求項１】
ブラシ台と、
前記ブラシ台の表面に立てて設けられるとともに、軸方向に滑らかに連続する凹凸を表面に有する多数のブラシピンと、
を備えたヘアブラシ。
【請求項２】
前記ブラシ台は、筒状体であり、
前記ブラシピンは、前記ブラシ台の外周面に全周方向に設けられている、
請求項１に記載のヘアブラシ。
【請求項３】
前記ブラシピンは、前記凹凸の表面に前記凹凸より小さい別の凹凸をさらに有する、
請求項１又は２に記載のヘアブラシ。
【請求項４】
前記ブラシ台の表面に前記ブラシピンと共に立てて設けられるとともに、前記凹凸を有しないブラシ毛をさらに備えた、請求項１から３のいずれか１項に記載のヘアブラシ。
【発明の詳細な説明】
【技術分野】
【０００１】
本発明は、ヘアブラシに関する。
【背景技術】
【０００２】
従来のヘアブラシとして、ブラシ台と、ブラシ台の表面に立てて設けられた多数のブラシ毛とを備えたものが知られている。このヘアブラシでは、各ブラシ毛は、直線的に延びる形状に形成されている。
【発明の開示】
【発明が解決しようとする課題】
【０００３】
上記従来のヘアブラシでは、各ブラシ毛が直線的な形状であるために、ブラッシングの際に、髪がブラシ毛に対し接触可能な面積が小さく、ブラッシング効果が不十分であったり、また、髪がブラシ毛に絡みにくいためにヘアドライヤを使った癖付けに時間を要したりしていた。
【０００４】
本発明の目的は、ブラッシング効果を高めるとともに、髪の癖付けを容易に行えるヘアブラシを提供することにある。
【課題を解決するための手段】
【０００５】
請求項１に記載のヘアブラシは、ブラシ台と、多数のブラシピンとを備えている。各ブラシピンは、ブラシ台の表面に立てて設けられるとともに、軸方向に滑らかに連続する凹凸を表面に有する。
【０００６】
このヘアブラシでは、各ブラシピンに凹凸が設けられているので、従来のような直線的に延びるブラシ毛を備えたものに比べ、ブラッシングの際に髪が接触可能な面積が増えている。したがって、このヘアブラシによれば、ブラッシング効果が高められ、短いブラッシング時間でも十分な髪の光沢が得られるとともに、髪に付着したフケやゴミを簡単に除去できる。
【０００７】
また、このヘアブラシでは、ブラシピンの凹凸により髪が絡みやすくなっているので、ヘアドライヤを使った髪の癖付けがし易く、セット時間を短縮化できる。
【０００８】
さらに、このヘアブラシでは、髪との接触可能な面積が大きくなっていることから、整髪剤を使う際に、髪に均一塗布することができ、仕上がりが美しくなる。
【０００９】
なお、本発明において、軸方向とは、ブラシピンが延びる方向をいう。
【００１０】
請求項２に記載のヘアブラシは、請求項１のヘアブラシにおいて、ブラシ台は、筒状体である。そして、ブラシピンは、ブラシ台の外周面に全周方向に設けられている。
【００１１】
請求項３に記載のヘアブラシは、請求項１又は２のヘアブラシにおいて、ブラシピンは、凹凸の表面に前記凹凸より小さい別の凹凸をさらに有する。
【００１２】
このヘアブラシでは、ブラシピンの凹凸にさらに別のより小さい凹凸が設けられていることから、髪との接触面積がより増している。したがって、ここでは、より高いブラッシング効果等が得られる。
【００１３】
なお、本発明において、前記凹凸より小さい凹凸とは、１つの凹凸における凹部と凸部の段差又は隣り合う凹凸のピッチ或いはその両方が前記凹凸より小さい凹凸をいう。また、前記凹凸より小さい凹凸には、例えば、前記凹凸の表面に形成された凸部（出っ張り）とその周辺部分のように、凸部を設けた結果全体として凹凸の外形を有するに至ったものも含まれる。
【００１４】
請求項４に記載のヘアブラシは、請求項１から３のいずれか１項のヘアブラシにおいて、ブラシ毛をさらに備えている。ブラシ毛は、ブラシ台の表面にブラシピンと共に立てて設けられるとともに、凹凸を有しない。
【発明の効果】
【００１５】
本発明によれば、各ブラシピンに凹凸が設けられているので、従来のような直線的に延びるブラシ毛を備えたものに比べ、ブラッシングの際の髪との接触面積が増えている。したがって、ブラッシング効果が高められ、短いブラッシング時間でも十分な髪の光沢が得られるとともに、髪に付着したフケやゴミを簡単に除去できる。
【００１６】
また、本発明によれば、ブラシピンの凹凸により髪が絡みやすくなっているので、ヘアドライヤを使った髪の癖付けがし易く、セット時間を短縮化できる。
【００１７】
さらに、この本発明によれば、髪との接触可能な面積が大きくなっていることから、整髪剤を使う際に、髪に均一塗布することができ、仕上がりが美しくなる。
【発明を実施するための最良の形態】
【００１８】
図１乃至図３に、本発明の一実施形態が採用されたヘアブラシ４を示す。
【００１９】
このヘアブラシ４は、把手２と、ブラシ台３と、多数のブラシピン１とを備えている。
【００２０】
把手２は、ブラッシングの際に手で握るための部分である。
【００２１】
ブラシ台３は、把手２と一体に形成された円弧状に湾曲する板状部分であり、一方の表面に、多数のブラシピン１がほぼ垂直方向に立てて設けられている。
【００２２】
ブラシピン１は、軸方向に滑らかに連続する凹凸を表面に有しており、図２に示すように、その断面の外形は曲線的になっている。
【００２３】
なお、この凹凸は、図２に示すように軸方向に隣り合うもの同士が同じピッチで連続してもよく、異なるピッチで連続するものであってもよい。また、１つの凹凸における凹部と凸部の段差は、図２に示すようにブラシピン１の一端から他端にかけて一様であってもよく、不規則であっても良い。
【００２４】
このようなヘアブラシ４を用いてブラッシングを行うと、各ブラシピン１の凹凸によって髪との接触面積が増えることから、ブラッシング効果が高められ、ブラッシング時間を短縮しても十分な髪の光沢が得られるとともに、髪に付着したフケやゴミを簡単に除去できる。
【００２５】
また、ブラシピン１の凹凸により髪が絡みやすくなっているので、ヘアドライヤを用いての髪の癖付けがし易くなり、セット時間を短縮化できる。
【００２６】
さらに、ブラシピン１の凹凸は滑らかに連続するものであるため、ブラッシング時の髪の引っかかりを抑え、髪へのダメージを回避できる。
【００２７】
また、ブラシピン１の凹凸によって、髪との接触可能な面積が大きくなっていることから、整髪剤を使う際に、髪に均一塗布することができ、仕上がりが美しくなる。
［他の実施形態］
（ａ）ブラシ台は、円筒状のものであっても良い。この場合、ブラシピンは、ブラシ台の外周面に全周方向に設けられるのが好ましい。
【００２８】
（ｂ）ブラシピンは、凹凸の表面にこの凹凸より小さい別の凹凸をさらに有するものであっても良い。例えば、髪の太さと同程度の細かな凸部を多数形成した場合は、髪が接触可能な面積が格段に増し、極めて高いブラッシング効果等が期待できる。
【００２９】
（ｃ）ブラシ台には、ブラシピンと併せて、直線的に延び凹凸を有しないブラシ毛がさらに設けられても良い。
【００３０】
（ｄ）上記各実施形態の構成が適宜組み合わせて採用されても良い。
【図面の簡単な説明】
【００３１】
【図１】本発明の一実施形態が採用されたヘアブラシを示す平面図。
【図２】前記ヘアブラシのブラシピンを示す断面図。
【図３】前記ヘアブラシを示す斜視図。
【符号の説明】
【００３２】
１  ブラシピン
２  把手
３  ブラシ台
４  ヘアブラシ
【図１】
2006204349.tif 000003
【図２】
2006204349.tif 000004
【図３】
2006204349.tif 000005